(57)【特許請求の範囲】
【請求項１】
コンロ本体部の上部に配置される天板の開口部に、ガスバーナ、五徳及び五徳上の調理容器の底部に接触して調理容器の温度を検出する調理容器温度検出手段が配置されるガスコンロにおいて、
ガスバーナ、五徳及び調理容器温度検出手段が配設される昇降台と、
五徳の上部が天板よりも上方に位置する使用位置とコンロ本体部内にガスバーナ及び五徳が収納される収納位置との間で昇降台を昇降させる昇降機構と、
昇降機構の昇降動作を制御する制御手段と、
ガスバーナ及び五徳が収納位置にある時に天板の開口部を塞ぐ蓋体と、
制御手段による指令で報知する報知手段とを備え、
調理容器温度検出手段は、上端の感熱部が上方に付勢されて五徳上の調理容器又は蓋体等の物体に押圧されると下降するように昇降台に上下動可能に支持される軸部と、この軸部の上下移動を検知して五徳上に物体が配置されているか否か検知する物検知手段とを備え、
制御手段は、昇降台が収納位置まで移動した後、物検知手段により蓋体が置かれていないと検知された場合には報知手段により報知させる構成とするガスコンロ。
【請求項２】
コンロ本体部の上部に配置される天板の開口部に、ガスバーナ、五徳及び五徳上の調理容器の底部に接触して調理容器の温度を検出する調理容器温度検出手段が配置されるガスコンロにおいて、
ガスバーナ、五徳及び調理容器温度検出手段が配設される昇降台と、
五徳の上部が天板よりも上方に位置する使用位置とコンロ本体部内にガスバーナ及び五徳が収納される収納位置との間で昇降台を昇降させる昇降機構と、
昇降機構の昇降動作を制御する制御手段と、
ガスバーナ及び五徳が収納位置にある時に天板の開口部を塞ぐ蓋体とを備え、
調理容器温度検出手段は、上端の感熱部が上方に付勢されて五徳上の調理容器等の物体に押圧されると下降するように昇降台に上下動可能に支持される軸部と、この軸部の上下移動を検知して五徳上に物体が配置されているか否か検知する物検知手段とを備え、
制御手段は、昇降台を収納位置から使用位置に上昇させる昇降機構の制御を行なう際に、物検知手段により収納位置において天板の開口部に蓋体が配置されていることを検知した場合には、蓋体の底面と天板との間に所定の隙間が形成される蓋体取外し位置まで昇降台を一旦上昇させる制御を行なう構成とするガスコンロ。
【請求項３】
請求項１又は２に記載のガスコンロにおいて、
制御手段は、昇降台が収納位置と使用位置との間で昇降動作を行なっている時に上記物検知手段の検知結果に基づいて五徳上に物体が配置された場合には昇降機構の昇降動作を停止する制御を行なう構成とするガスコンロ。
【請求項４】
請求項１〜３のいずれかに記載のガスコンロにおいて、
昇降台の上下方向の位置を検出する位置検出手段を備え、
制御手段は、位置検出手段の検出結果に基づいて昇降機構の動作制御を行う構成とするガスコンロ。
【発明の詳細な説明】
【技術分野】
【０００１】
本発明は、ガスバーナ未使用時にコンロ本体部内にガスバーナ及び五徳を収納することができるガスコンロに関する。
【背景技術】
【０００２】
従来、ガスバーナを使用しない状態では、天板がガスバーナと五徳の上方に上昇され、ガスバーナを使用する際には、天板を下降させてガスバーナ及び五徳を露出させるようにしたガスコンロがある（特許文献１）。
【先行技術文献】
【特許文献】
【０００３】
【特許文献１】特開２００３−２４７７２３号公報
【発明の概要】
【発明が解決しようとする課題】
【０００４】
しかしながら、上記ガスコンロは、天板を下降させてガスバーナを使用するため、ガスバーナの使用中は、天板に凹部が形成されることになり、この凹部は、ガスバーナの加熱により熱が篭りやすく、天板が過熱されるおそれがあり、火の状態も分かり難く、また、天板が低くなるため、ガスコンロ全体としての見栄えも好ましくない。
【０００５】
また、上記ガスコンロでは、天板部分の五徳が配置される開口部の周囲に、多数の反射型の被加熱物検出用光センサを設け、全ての被加熱物検出用光センサが調理容器を検出できなかった場合に、五徳上に調理容器が存在しないとして天板部分の昇降動作を行なうようにしている（特許文献１の段落００３３、段落００３４）。しかし、ガスバーナごとに多数の被加熱物検出用光センサを設ける必要があるため、部品点数が増加するだけでなく、センサ取付作業や配線作業が煩雑となり、配線の数も多くなる。
【０００６】
本発明は、上記事情に鑑みてなされたものであり、ガスバーナの使用中に天板が過熱されることなく且つ火の状態も分かり易くすることができ、しかも、既存の部品を利用して簡単に五徳上に配置される物体の検知が行えるガスコンロを提供することを課題とする。
【課題を解決するための手段】
【０００７】
本発明に係るガスコンロは、
コンロ本体部の上部に配置される天板の開口部に、ガスバーナ、五徳及び五徳上の調理容器の底部に接触して調理容器の温度を検出する調理容器温度検出手段が配置されるガスコンロにおいて、
ガスバーナ、五徳及び調理容器温度検出手段が配設される昇降台と、
五徳の上部が天板よりも上方に位置する使用位置とコンロ本体部内にガスバーナ及び五徳が収納される収納位置との間で昇降台を昇降させる昇降機構と、
昇降機構の昇降動作を制御する制御手段と、
ガスバーナ及び五徳が収納位置にある時に天板の開口部を塞ぐ蓋体と、
制御手段による指令で報知する報知手段とを備え、
調理容器温度検出手段は、上端の感熱部が上方に付勢されて五徳上の調理容器又は蓋体等の物体に押圧されると下降するように昇降台に上下動可能に支持される軸部と、この軸部の上下移動を検知して五徳上に物体が配置されているか否か検知する物検知手段とを備え、
制御手段は、昇降台が収納位置まで移動した後、物検知手段により蓋体が置かれていないと検知された場合には報知手段により報知させる構成とするものである。
【０００８】
上記構成により、天板の位置は変動せず、ガスバーナ、五徳及び調理容器温度検出手段が設置された昇降台を昇降機構により天板に対して昇降させるので、ガスバーナを使用する時は、ガスバーナと五徳の間の距離の相関が保たれて良好な燃焼状態が確保でき、しかも、ガスバーナ使用中に天板が過熱されるおそれもなく、ガスバーナの火の状態も分かり易い。さらに、ガスバーナの使用状態に関係なく、ガスコンロ全体の見栄えが良く、ガスバーナを使用していない時は、天板を調理台として有効に利用できる。
また、物検知手段は、既存の調理容器温度検出手段を利用して設けるので、簡単に五徳上の調理容器等の物体の有無を検知することができる。
【０００９】
また、本発明に係るガスコンロは、
コンロ本体部の上部に配置される天板の開口部に、ガスバーナ、五徳及び五徳上の調理容器の底部に接触して調理容器の温度を検出する調理容器温度検出手段が配置されるガスコンロにおいて、
ガスバーナ、五徳及び調理容器温度検出手段が配設される昇降台と、
五徳の上部が天板よりも上方に位置する使用位置とコンロ本体部内にガスバーナ及び五徳が収納される収納位置との間で昇降台を昇降させる昇降機構と、
昇降機構の昇降動作を制御する制御手段と、
ガスバーナ及び五徳が収納位置にある時に天板の開口部を塞ぐ蓋体とを備え、
調理容器温度検出手段は、上端の感熱部が上方に付勢されて五徳上の調理容器等の物体に押圧されると下降するように昇降台に上下動可能に支持される軸部と、この軸部の上下移動を検知して五徳上に物体が配置されているか否か検知する物検知手段とを備え、
制御手段は、昇降台を収納位置から使用位置に上昇させる昇降機構の制御を行なう際に、物検知手段により収納位置において天板の開口部に蓋体が配置されていることを検知した場合には、蓋体の底面と天板との間に所定の隙間が形成される蓋体取外し位置まで昇降台を一旦上昇させる制御を行なう構成とするものである。
【００１０】
これにより、ガスバーナの未使用時には、ガスバーナ及び五徳をコンロ本体部内に収納させて天板の開口部を蓋体で塞ぐことにより、調理台として広く有効に利用することができ、埃やゴミなどがコンロ本体部の内部に入らないようにすることができる。
さらに、ガスバーナを使用するために昇降台を収納位置から使用位置に向けて上昇させる時は、昇降台を蓋体取外し位置まで一旦上昇させ、その後、昇降台の上昇動作を停止させるので、蓋体を浮かせて天板から取り外し易くできる。しかも、蓋体の上に調理容器等が載置されていても、調理容器等がひっくり返る前に昇降台の上昇動作が停止されて調理容器を取り除くことができる。
しかも、物検知手段により五徳上の蓋体の有無を検知できるので、制御手段は、蓋体取外し位置で昇降台が上昇停止された後、蓋体が取り外されると自動的に昇降台の上昇を再開するように制御することが可能となる。また、ガスバーナ及び五徳がコンロ本体部内に収納された時に、蓋体が配置されていない場合には、制御手段は、蓋体を配置するように使用者に報知することも可能となる。
【００１１】
さらに、本発明に係るガスコンロにおいて、制御手段は、昇降台が収納位置と使用位置との間で昇降動作を行なっている時に上記物検知手段の検知結果に基づいて五徳上に物体が配置された場合には昇降機構の昇降動作を停止する制御を行なう構成とするのが好ましい。
これにより、物検知手段の検出結果に基づいて昇降台の昇降動作を制御することができ、五徳に調理容器等の物体が載置されている状態で昇降動作が継続して行なわれることが防止される。従って、五徳に載置された調理容器が不安定になったり、ひっくり返ったりすることを防止でき、また、昇降動作中の昇降機構へ余分な負荷が掛からないようにすることができる。
【００１２】
さらに、本発明に係るガスコンロは、昇降台の上下方向の位置を検出する位置検出手段を備え、制御手段は、位置検出手段の検出結果に基づいて昇降機構の動作制御を行う構成とすることが好ましい。
【００１３】
これにより、収納位置と使用位置とにガスバーナ及び五徳が配置されるように昇降台を確実に移動させることができる。さらに、蓋体を備える場合には、昇降台を蓋体取外し位置に確実に移動させることができる。また、ガスバーナにおける混合管のガス受入口の位置がガス燃料を噴出するガス噴出部に対して上下移動するようにガスバーナが上下移動しても、制御手段は、位置検出手段の検出結果に基づいて混合管のガス受入口の中心位置とガス噴出部との位置が合致するように昇降機構を確実に制御することができる。
【発明の効果】
【００１４】
以上のように、本発明に係るガスコンロによれば、ガスバーナ及び五徳が一緒に配設された昇降台を昇降させるので、ガスバーナを使用する時はガスバーナと五徳の間の距離の相関が保たれて良好な燃焼状態が確保でき、しかも、天板が過熱されるおそれもなく、ガスバーナの火の状態も分かり易くなる。さらに、ガスバーナの使用状態に関係なく、ガスコンロ全体の見栄えが良く、ガスバーナを使用していない時は天板を調理台として有効に利用できる。しかも、調理容器温度検出手段を利用して物検知手段を設けるので、ガスバーナ及び五徳を一緒に配設した昇降台を昇降制御するにあたって、五徳上の調理容器等の物体の有無を簡単に検知することができる。
【図面の簡単な説明】
【００１５】
【図１】本実施形態に係るガスコンロの外観構成を示す斜視図である。
【図２】ガスバーナ及び五徳が使用位置にある状態を示す断面図である。
【図３】ガスバーナと器具栓との接続状態、ガスバーナ、五徳及びバーナリングを支持部材に組み付けた状態を示す説明図である。
【図４】ガスバーナの混合管に接続されたノズルと器具栓の連絡管とを接続するクランク管の軌道を示すための説明図である。
【図５】鍋底温度センサ及び物検知手段の動作を示す説明図である。
【図６】制御部、各スイッチ、位置検出手段、物検知手段及び昇降機構の信号構成を示すブロック図である。
【図７】ガスバーナ及び五徳が収納位置にある状態を示す断面図である。
【図８】ガスバーナ及び五徳が蓋体取外し位置にある状態を示す断面図である。
【図９】ガスバーナ及び五徳を昇降動作させる制御を説明するフローチャートである。
【発明を実施するための形態】
【００１６】
以下に、本発明の実施の形態について添付図面を参照しながら説明する。
図１に示すように、本実施形態に係るガスコンロ１は、ビルトインタイプに適用したものであり、上方が開放された矩形箱状のキャビネットＣ内に、複数のガスバーナ２が収容されたガスコンロ１のコンロ本体部１１が収納されている。なお、ガスコンロ１は、ガスバーナが1つ設けられたものでもよい。
【００１７】
ガスコンロ１は、図１及び図２に示すように、コンロ本体部１１の上方開放部がガラス製又はホーロー製などの天板１２で被覆され、天板１２の所定の位置にはガスバーナ２及び五徳３が配置される開口部１２ａが複数形成されている。これら開口部１２ａ内にはガスバーナ２のバーナ部２１及び五徳３が一体的に上下動可能に配置される。なお、天板１２の上面は、キャビネットＣの上面と略同一高さになっており、各開口部１２ａの下方には、図１及び図２に示すようにバーナ部２１の上下動の範囲の長さより長い高さを有する筒状の内壁１２ｂが形成されている。
【００１８】
ガスバーナ２は、図３に示すように、バーナ部２１と、このバーナ部２１にガス燃料と空気との混合ガスを供給する混合管２４とを備え、この混合管２４はクランク状の第１接続管４１及び第２接続管４２を介して器具栓５に接続される。バーナ部２１は、上下方向に延びる内筒２２ａと外筒２２ｂで形成したバーナボディ２２と、バーナボディ２２の上に載置される円形のバーナヘッド２３とから構成され、バーナヘッド２３の外周部に多数の炎孔２３ａが形成されている。バーナボディ２２の下端部に混合管２４の下流端部が接続され、バーナボディ２２の周囲に図示しない点火電極（イグナイタ）及び炎検知器が外付けされている。
【００１９】
混合管２４の上流端となるガス受入口は、一次空気が供給される供給口２６ａが形成され、ガス噴出口であるノズル２５が取り付けられた閉鎖体２６で覆われている。なお、閉鎖体２６を設けることなく、ノズル２５と混合管２４のガス受入口との間の隙間を一次空気が供給される供給口とすることもできる。ノズル２５には、第１回転継手４３を介して下流側のクランク状の第１接続管４１の先端部が回転可能に接続される。第１接続管４１の上流端は、第２回転継手４４を介して上流側のクランク状の第２接続管４２が回転可能に接続される。第２接続管４２は、第３回転継手４５を介して器具栓５の導出口５３に接続された連絡管５４が回転可能に接続される。
【００２０】
これら第１・第２接続管４１，４２及び第１〜３回転継手４３〜４５は、図４の説明図に示すように、第３回転継手４５及び連絡管５４の位置は固定された状態で、混合管２４及びバーナ部２１の上下動に伴って第１接続管４１及び第２接続管４２が回動して、ノズル２５の位置が上下方向の同一線上を上下に移動するようになっている。このように、混合管２４は、上下動されても第１・第２接続管４１，４２及び第１〜３回転継手４３〜４５を介して常に器具栓５に接続された状態になる。そして、第１接続管４１から供給されるガス燃料がノズル２５から混合管２４内に噴出供給されると、ガス燃料の噴出供給に伴って一次空気が供給口２６ａから吸引され、ガス燃料と一次空気とが混合されてバーナ部２１に供給される。
【００２１】
器具栓５は、ガス配管とガスバーナ２との間に配設されてガス配管からガスバーナ２へのガス供給を制御する。器具栓５は、弁筐５１内に導入口５２から導出口５３に連通されたガスの内部通路が形成されており、内部通路には、図示していないが、上流側から電磁安全弁、元ガス弁、ガス量調節弁が収納されている。器具栓５の導出口５３には、連絡管５４が接続されている。
【００２２】
天板１２に形成した各開口部１２ａには、図３を参照して、バーナボディ２２が挿通される孔６１が中心部に形成されたバーナリング６が配置される。このバーナリング６は、天板１２の開口部１２ａの周縁との間に形成される隙間ができるだけ小さくなるように設置される。バーナリング６の外周部には五徳３を載置させるための環状段部６２が形成されている。五徳３は、バーナリング６の環状段部６２に着脱可能に嵌められる環状の五徳枠３１と、この五徳枠３１に等間隔で突設される複数の五徳爪３２とからなる。五徳爪３２はガスバーナ２のバーナヘッド２３よりも高くなるように形成されている。
【００２３】
バーナボディ２２の内筒２２ａ内には、図５に示すように、軸部７１ａの先端に形成された感熱部７１ｂが鍋等の調理容器Ａの底部に接触して調理容器Ａの底温度を検出する鍋底温度センサ７１（調理容器温度検出手段）が設けられている。鍋底温度センサ７１は、バーナリング６及びバーナ部２１を支持する支持体１７に軸部７１ａが支持されることにより、ガスバーナ２及び五徳３と共に、後述する昇降機構８の昇降台８１に設けられる。そして、軸部７１ａの上端部となる感熱部７１ｂは、五徳爪３２よりも上方に突出するようになっている。この鍋底温度センサ７１は、ばね等の付勢手段により軸部７１ａが上方に復帰付勢される状態で設けられ、五徳３上に調理容器Ａを載置すると、鍋底温度センサ７１が鍋底に押圧された状態となって、鍋底の温度を検出するように構成される。鍋底温度センサ７１の温度検出結果は、制御部１０に出力される。また、鍋底温度センサ７１の軸部７１ａの基端部には、この鍋底温度センサ７１の昇降状態を検知することにより五徳３上に載置された調理容器Ａや後述する蓋体１８などの物体を検知する物検知手段７２が設けられている。
【００２４】
物検知手段７２は、本実施形態では、マイクロスイッチを用いており、鍋底温度センサ７１の上下動可能な軸部７１ａに設けた突起部７２ａと、この突起部７２ａが所定位置に下降したときオン動作するスイッチ部７２ｂとを備える。物検知手段７２は、五徳３に調理容器Ａ又は蓋体１８が載置されていないときは鍋底温度センサ７１が上昇位置にあって突起部７２ａがスイッチ部７２ｂに接触せずオフされ（図５（ａ）参照）、五徳３に調理容器Ａ等が載置されているときは鍋底温度センサ７１が下降位置にあって突起部７２ａがスイッチ部７２ｂに接触してオンされる（図５（ｂ）参照）。従って、この物検知手段７２のオンオフ信号よりガスバーナ２上の調理容器Ａ又は蓋体１８の有無が検知される。物検知手段７２の検知結果も制御部１０に出力される。
【００２５】
ガスバーナ２のバーナ部２１と混合管２４と鍋底温度センサ７１とは、昇降機構８の昇降台８１上に配置されており、この昇降台８１に固定される筒状の支持体１７にバーナリング６とバーナ部２１と鍋底温度センサ７１とが図示していない固定部材を介して固定されている。支持体１７は、筒部１７ａとこの筒部１７ａの上部を塞ぐ天井部１７ｂとから構成され、この天井部１７ｂは、天板１２に形成した開口部１２ａの内壁１２ｂにＯリングを介して密着する大きさに形成されている。天井部１７ｂの中心にはバーナボディ２２を挿通させる孔が形成されており、この孔にバーナボディ２２を挿通させた状態でバーナボディ２２が支持体１７に固定され、天井部１７ｂの上面にバーナリング６を載せて、バーナリング６がボルトなどにより天井部１７ｂに固定される。
【００２６】
昇降機構８は、昇降台８１と、この昇降台８１の下方に配置され、コンロ本体部１１の底面に固定される板状の固定部材８２と、固定部材８２と昇降台８１との間に設けられるパンタグラフジャッキとを備える。パンタグラフジャッキを構成するリンクアーム８３は、４本のリンクアーム８３で１つのパンタグラフ機構８４が構成され、２つのパンタグラフ機構８４が固定部材８２上に対向配置される。
【００２７】
パンタグラフ機構８４は、リンクアーム８３をＸ字状に２本重ね合わせて、長手方向中央部を軸８５ａの端部で回動可能に支持したものを上下に設け、一方のＸ字状態のリンクアーム８３の各長手方向端部を他方のＸ字状態のリンクアーム８３の端部と軸８５ｂの端部で回動可能に連結することにより、二段式のパンタグラフ機構８４が構成される。このような構成のパンタグラフ機構８４を２つ対向配置させて軸８５ａ，８５ｂにより互いに連結させる。そして、上方側端部及び下方側端部の残りの４つのリンクアーム８３の端部は、軸８５ｃにより連結される。
【００２８】
リンクアーム８３の下方側端部を連結する一方の軸８５ｃは、固定部材８２に設けた一対の下側ガイドプレート８６にボルト８７により固定され、他方の下方側の軸８５ｃは、その両端部を下側ガイドプレート８６に形成された長孔からなる下側ガイド孔８６ａに嵌め合わせて、下側ガイド孔８６ａ内を水平方向にスライドできるようになっている。また、リンクアーム８３の上方側端部を連結する一方の軸８５ｃは、昇降台８１の下面に取り付けた一対の上側ガイドプレート８８にボルト８７により固定され、他方の上方側の軸８５ｃは、その両端部を上側ガイドプレート８８に形成された長孔からなる上側ガイド孔８８ａに嵌め合わせて、上側ガイド孔８８ａ内を水平方向にスライドできるようになっている。上下のガイドプレート８６，８８に固定される軸８５ｃは上下方向において同じ位置に固定されている。
【００２９】
また、各軸８５ｂの軸方向中央部には、ボールネジ８９が挿通される挿通孔が形成されている。そして、ボールネジ８９の先端側（スライドする軸８５ｃ側）に配置される一方の軸８５ｂの挿通穴は、ボールネジ８９のネジと噛み合うネジ孔に形成されている。また、ボールネジ８９の基端側に配置されるネジ孔を設けていない他方の軸８５ｂには、ボールネジ８９の軸方向の動き阻止するストッパ８９ａが設けられている。そして、ボールネジ８９の基端部には、正逆回転可能な昇降駆動モータ８０が接続されている。昇降駆動モータ８０が駆動されてボールネジ８９が回転すると、ボールネジ８９の作用でネジ孔を有する軸８５ｂが他方の軸８５ｂに接近、離間して、パンタグラフ機構８４により昇降台８１が昇降移動される。
【００３０】
昇降機構８は、昇降台８１を最上昇位置と最下降位置との間で昇降動作させるようになっており、後述する制御部１０により、位置検出手段９により検出された昇降台８１の上下方向の位置に基づいて昇降動作範囲内で昇降動作を行なうように制御される。なお、最上昇位置とは、バーナリング６の外周縁が天板１２に形成した開口部１２ａに一致する位置であり、ガスバーナ２を使用することができる使用位置となる（図２参照）。最下降位置とは、バーナリング６上に配置された五徳３の五徳爪３２が天板１２より下方に位置し、ガスバーナ２及び五徳３がコンロ本体部１１内に収容される収納位置となる（図７参照）。この収納位置では、鍋底温度センサ７１の感熱部７１ｂが無負荷状態で天板１２より上方に突出される。
【００３１】
最上昇位置（使用位置）と最下降位置（収納位置）とは、例えば、図２に示すように、コンロ本体部１１内に設ける上下２つの上部マイクロスイッチ９１と下部マイクロスイッチ９２とにより検出される。また、昇降台８１が昇降している間の位置を細かく検出するためのスケールセンサ９３もコンロ本体部１１に設けられている。これら、上部マイクロスイッチ９１と下部マイクロスイッチ９２とスケールセンサ９３とにより、位置検出手段９を構成している。
【００３２】
さらに、図７に示すように、ガスバーナ２、五徳３及びバーナリング６が収納位置にあるときに、天板１２の開口部１２ａをデザインされた透明ガラスで形成される蓋体１８で塞ぐようになっている。なお、天板１２より上方に突出する鍋底温度センサ７１の感熱部７１ｂは、蓋体１８で押圧されて天板１２の下面側に配置される。このように、ガスバーナ２の未使用時には、ガスバーナ２、五徳３及びバーナリング６をコンロ本体部１１内に収納して、天板１２の開口部１２ａを蓋体１８で塞ぐことで、天板１２を調理台として広く有効に利用することができ、しかも、ガスバーナ２を使用していないときは、埃やゴミが開口部１２ａ内の収納空間に入らないようにすることができる。
【００３３】
天板１２の前側（使用者の立ち位置側）には、ガスバーナ２の点火・消火などの操作を行なうための操作部１２ｃが各ガスバーナ２に対応して設けられている（図１参照）。この操作部１２ｃは、タッチ操作式になっている。操作部１２ｃには、図６のブロック図に示すように、電源スイッチ１３、ガスバーナ２を点火及び消火させるための指令情報（例えば、静電容量式などのタッチスイッチの電気信号による指令情報）を制御部１０に送る点消火スイッチ１４、ガスバーナ２の燃焼量を調節するための指令情報を制御部１０に送るバーナ火力調整スイッチ、ガスバーナ２の昇降動作を行なうための指令情報を制御部１０に送る昇降スイッチ１５、各スイッチの操作を拒否する指令情報を制御部１０に送るロックスイッチ１６等が設けられている。ロックスイッチ１６が操作されると、電源スイッチ１３の操作以外は受け付けないように制御される。制御部１０は、マイクロコンピュータ等で構成され、ガスコンロ１の動作を制御する。
【００３４】
制御部１０は、昇降スイッチ１５が操作されることにより、バーナ部２１、五徳３及びバーナリング６が配置された昇降台８１を昇降させるように昇降機構８の制御を行なう。制御部１０は、バーナ部２１の一部を天板１２の上方に突出させた状態とする使用位置（図２参照）と、バーナ部２１、五徳３及びバーナリング６を天板１２に対して非突出状態とする収納位置（図７参照）とに切り換えるように昇降駆動モータ８０の駆動を制御する。
【００３５】
また、ガスコンロ１は、制御部１０による指令で報知するブザー１９を備えており（図６参照）、制御部１０は、バーナ部２１などが収納位置まで移動した後、物検知手段７２により蓋体１８が置かれていないと検知された場合には、ブザー１９により蓋体１８を置くように報知する。
【００３６】
さらに、図８に示すように、制御部１０は、昇降機構８により収納位置から使用位置に昇降台８１を上昇させる際、物検知手段７２が蓋体１８を検知していても、スケールセンサ９３による位置検出結果に基づいて、蓋体１８の底面と天板１２との間に、蓋体１８に指が掛けられる程度の所定の隙間が形成される蓋取り外し位置まで上昇させる制御を行なう。そして、昇降台８１が蓋取り外し位置まで上昇すると、一旦、昇降駆動モータ８０を停止する。このとき、ブザー１９により蓋体１８を取り外すように報知する制御を行なってもよい。この後、制御部１０は、物検知手段７２の検出結果に基づき、蓋体１８が取り除かれると、昇降台８１を使用位置まで上昇駆動させる制御を行なう。
【００３７】
このように、収納位置から昇降機構８を上昇駆動させるときに、蓋体１８が開口部１２ａから少し浮いた状態で昇降駆動モータ８０の駆動が停止されるので、蓋体１８は開口部１２ａから取り外し易くなる。しかも、一旦停止後は、蓋体１８を取り除かないと昇降機構８の上昇動作は行なわれないので、蓋体１８の上に調理容器Ａ等が載置されていても、調理容器Ａ等がひっくり返る前に調理容器Ａを取り除くことができる。
【００３８】
次に、上記構成のガスコンロ１において昇降スイッチ１５の操作によって制御部１０が行なう昇降機構８の動作の制御について図９のフローチャートに基づいて説明する。
【００３９】
まず、バーナ部２１と五徳３が図７に示す収納位置にある状態で電源スイッチ１３が入れられた後、昇降スイッチ１５がＯＮ操作されず（Ｓ１で「Ｎｏ」）、そのまま所定時間（例えば３分）が経過した場合（Ｓ３）には電源が自動的にＯＦＦになる。一方、所定時間内に昇降スイッチ１５がＯＮ操作されると（Ｓ１で「Ｙｅｓ」）、昇降駆動モータ８０が駆動され（Ｓ２）、スケールセンサ９３の検出結果に基づいて昇降台８１が図８に示す蓋体取外し位置まで上昇されると（Ｓ４で「Ｙｅｓ」）、昇降駆動モータ８０が停止されて昇降台８１を一旦上昇停止すると共に蓋体１８の取外しを促すブザーを鳴らす（Ｓ５）。
【００４０】
次に、鍋底温度センサ７１に設けた物検知手段７２の検出結果により、五徳３上に蓋体１８が載置されているか否かの判断がなされ（Ｓ６）、蓋体１８が取り除かれている場合には昇降スイッチ１５がＯＮ操作されると（Ｓ７で「Ｙｅｓ」）、昇降駆動モータ８０を駆動して（Ｓ８）、図２に示すガスバーナ２及び五徳３の使用位置まで載置台８１を上昇させる。なお、蓋体取外し位置において、蓋体１８が取り除かれた場合には（Ｓ６で「Ｙｅｓ」）、昇降スイッチ１５をＯＮ操作することなく自動的に昇降駆動モータ８０を駆動させて昇降台８１を上昇させるように制御してもよい。
【００４１】
そして、蓋取外し位置から使用位置までの間、昇降台８１の上昇移動中は物検知手段７２の検出結果により五徳３に調理容器Ａや蓋体１８などの物体が載置されたか否か監視される（Ｓ９）。昇降台８１の上昇中に調理容器Ａ等が五徳３に載置された場合には、ステップＳ５に戻って、ブザーを鳴らし、昇降駆動モータ８０を停止して昇降台８１の上昇が停止される。調理容器Ａなどが五徳３に載置されることなく昇降台８１が使用位置まで上昇すると（Ｓ１０で「Ｙｅｓ」）、昇降駆動モータ８０を停止し（Ｓ１１）、昇降台８１の上昇を終了させる。
【００４２】
その後は、鍋底温度センサ７１に設けた物検知手段７２の検出結果により調理容器Ａが五徳３上に載置されていると判断されている状態で（Ｓ１２で「Ｙｅｓ」）、点消火スイッチ１４がＯＮ操作されると（Ｓ１３で「Ｙｅｓ」）、イグナイタが所定時間（例えば３秒）ＯＮされ、ガスバーナ２が点火される（Ｓ１４〜Ｓ１６）。そして、ガスバーナ２による加熱調理を終えて点消火スイッチ１４のＯＦＦ操作がなされると、ガスバーナ２は消火される（Ｓ１７〜Ｓ１８）。なお、ステップＳ１２において、調理容器Ａが五徳３に載置されていない状態では（Ｓ１２で「Ｎｏ」）、後述するように、ガスバーナ２及び五徳３をコンロ本体部１１内の収納位置まで下降させるべく、昇降スイッチ１５のＯＮ操作の有無が監視される（Ｓ２０）。また、ガスバーナ２が消火された後、五徳３に調理容器Ａが載置されている場合（Ｓ１９で「Ｎｏ」）は、ステップＳ１３に戻って、ガスバーナ２の点火操作が行なえるようになっている。
【００４３】
次に、ガスバーナ２及び五徳３が使用位置にあってガスバーナ２が使用されていない場合には、ガスバーナ２及び五徳３をコンロ本体部１１内の収納位置まで下降させる制御の待機状態となる。そして、ガスバーナ２及び五徳３が使用位置にあって鍋底温度センサ７１に設けた物検知手段７２の検出結果より五徳３に調理容器Ａが載置されていない状態で（Ｓ１９で「Ｙｅｓ」）、昇降スイッチ１５のＯＮ操作により（Ｓ２０で「Ｙｅｓ」）、昇降駆動モータ８０が駆動され（Ｓ２１）、ガスバーナ２及び五徳３を配置する昇降台８１を下降させる。
【００４４】
そして、昇降台８１の下降移動中は、物検知手段７２の検出結果より五徳３に調理容器Ａや蓋体１８などが載置されたか否か監視される（Ｓ２２）。昇降台８１の下降中に調理容器Ａや蓋体１８等が五徳３に載置された場合には、ブザーを鳴らし、昇降駆動モータ８０を停止して昇降台８１の下降が停止される（Ｓ２６）。この後、調理容器Ａなどが五徳３上から取り除かれた場合には、ステップＳ２０に戻って、再度、昇降スイッチ１５のＯＮ操作により昇降台８１の下降動作が再開される。調理容器Ａ等が五徳３に載置されることなく昇降台８１が収納位置まで下降すると（Ｓ２３）、昇降駆動モータ８０を停止させ（Ｓ２４）、昇降台８１の下降を終了させる。その後は、電源スイッチ１３のＯＦＦ操作が監視され（Ｓ２５）、電源スイッチ１３がＯＦＦ操作されると電源がＯＦＦになり、電源スイッチ１３がＯＦＦ操作されない場合は、ステップＳ１に戻って、所定時間（Ｓ３）、昇降台８１を上昇させる制御の待機状態となる。
【００４５】
以上のように、本実施形態のガスコンロ１によれば、ガスバーナ２及び五徳３、鍋底温度センサ７１をこれらの位置関係を保持して昇降台８１に配設し、昇降台８１を天板１２に対して昇降させるので、ガスバーナ２と五徳３の間の距離は常に維持でき、ガスバーナ２を使用する時は良好な燃焼状態を確保できる。しかも、ガスバーナ２使用中に天板１２が過熱されるおそれもなく、ガスバーナ２の火の状態も分かり易い。さらに、ガスバーナ２の使用状態に関係なく、ガスコンロ全体の見栄えが良く、ガスバーナを使用していない時は、天板１２を調理台として有効に利用できる。特に、ガスバーナ２及び五徳３がコンロ本体部１１内に収容された状態で開口部１２ａを蓋体１８で覆うことにより、天板１２の調理台としての利用面積をより広くでき、埃やゴミなどがコンロ本体部１１の内部に入らないようにすることができる。また、位置検出手段９を設けているので、収納位置と使用位置とにガスバーナ２及び五徳３を正確に移動させることができる。
【００４６】
さらに、物検知手段７２の検出結果に基づいてガスバーナ２及び五徳３の昇降動作中に五徳３に調理容器Ａが載置されると、昇降動作が強制停止されるので、五徳３上の調理容器Ａが不安定になったり、ひっくり返ったりすることを防止でき、しかも、昇降動作中の昇降機構８へ負荷が掛からないようにすることができる。
【００４７】
また、物検知手段７２は、調理容器Ａの底面に押圧させて温度を検知する既存の鍋底温度センサ７１を利用して設けるので、従来のように多数の物検知手段を五徳の周囲に設ける必要がなく、配線構造の複雑化も防止でき、また、昇降台８１を昇降制御するにあたって五徳３上の調理容器Ａ等の物体の有無を簡単に検知することができる。
【００４８】
なお、本発明は、上記実施形態に限定されるものでなく本発明の範囲内で種々の変更を施すことができる。
例えば、本実施形態では、昇降機構８を昇降駆動モータ８０の回転駆動によるボールネジ８９の作用でパンタグラフ機構８４を駆動させる構成としたが、油圧ポンプを用いた油圧アクチュエータによって、パンタグラフ機構８４を駆動させるようにすることもできる。また、昇降機構８は、昇降台８１の下方に油圧シリンダ又はエアシリンダを設けて、油圧シリンダ又はエアシリンダにより昇降台８１を昇降させる構成とすることもできる。さらに、昇降機構８は、昇降台８１に一体的に形成するラックと、このラックに噛み合うピニオンと、このピニオンを回転させるモータとを備える構成としてもよい。
【００４９】
また、上記実施形態では、ガスバーナ２の混合管２４と器具栓５とを上下のクランク状の接続管と複数の回転継手とにより常に接続された状態にしたが、器具栓５にノズルを形成して、このノズルと混合管２４のガス受入口とを離した状態にしておき、混合管２４が設定した位置に配置されるようにノズルにガイド部材を設けるようにしてもよいし、位置検出手段９の検出結果に基づいて、混合管２４が使用位置まで上昇したときに、器具栓５のノズルが混合管２４のガス受入口の所定の位置に配置されるように制御するようにしてもよい。また、クランク状の接続管に代えて、金属製のフレキシブル管を用いてもよい。
【００５０】
また、昇降台の昇降動作を認識し易くするために、天板１２の開口部１２ａに形成した内壁１２ｂに昇降中に点灯するランプを設けるようにしてもよい。
【００５１】
さらに、本実施形態では、バーナ部２１のバーナボディ２２と、バーナリング６と、支持体１７とはそれぞれ別体としたが、バーナボディ２２とバーナリング６とを一体に形成したり、バーナリング６と支持体１７とを一体に形成したり、バーナボディ２２と支持体１７とを一体に形成したり、全てを一体に形成してもよい。また、支持体１７は、筒部１７ａと天井部１７ｂとを一体に形成したが、それぞれ別に形成してもよい。
【００５２】
本実施形態では、ガスバーナ２が外炎式であるため、ガスバーナ２と五徳３と物検知手段７２を備える鍋底温度センサ７１とを昇降台８１上に配置して昇降させる構成としたが、ガスバーナ２が内炎式の場合には、ガスバーナ２をコンロ本体部１１に固定し、五徳３と物検知手段７２を備える鍋底温度センサ７１とを昇降台８１上に配置して昇降させる構成とすることができる。
【符号の説明】
【００５３】
１  ガスコンロ
２  ガスバーナ
３  五徳
８  昇降機構
９  位置検出手段
１０  制御部（制御手段）
１１  コンロ本体部
１２  天板
１２ａ  開口部
１８  蓋体
２１  バーナ部
７１  鍋底温度センサ（調理容器温度検出手段）
７１ａ  軸部
７１ｂ  感熱部
７２  物検知手段
８０  昇降駆動モータ
８１  昇降台
８３  リンクアーム
８４  パンタグラフ機構
８９  ボールネジ
９１  上部マイクロスイッチ
９２  下部マイクロスイッチ
９３  スケールセンサ
Ａ  調理容器
【図１】
0005587705.tif 000002
【図２】
0005587705.tif 000003
【図３】
0005587705.tif 000004
【図４】
0005587705.tif 000005
【図５】
0005587705.tif 000006
【図６】
0005587705.tif 000007
【図７】
0005587705.tif 000008
【図８】
0005587705.tif 000009
【図９】
0005587705.tif 000010